(57)【要約】【課題】ヒータの輻射方向を可変にして指向性をなくし、あるいは、ワイド化、任意の方向へのスポット化などを可能にした浴室用乾燥換気装置を提供する。【解決手段】循環ファンモータ１５および循環ファン１６を有する循環ユニット１１と、換気ファンモータ１３および換気ファン１４を有する換気ユニット１２とを備えた浴室換気乾燥機において、循環ユニット１１の浴室に面した位置に開口を有し、前記開口の中央部に形成された円形吸込口を囲んで前記円形吸込口の外周より径が大きい内径を有する円形リング状の輻射ヒータ１９を配し、輻射ヒータ１９の上部に設けた反射板２０と輻射ヒータ１９の間隙を可変、または、反射板２０の向きを可変することにより、浴室内の幅広い範囲を輻射暖房することができる。【選択図】図１
2005201588.tif 000002
【特許請求の範囲】
【請求項１】
循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口の中央部に形成された円形吸込口を囲んで前記円形吸込口の外周より径が大きい内径を有する円形リング状のヒータを配したことを特徴とする浴室換気乾燥機。
【請求項２】
前記吸込口内に照明具が設けられたことを特徴とする請求項１に記載の浴室換気乾燥機。
【請求項３】
前記ヒータの上流側に温風ヒータを有することを特徴とする請求項１または２に記載の浴室換気乾燥機。
【請求項４】
前記ヒータは浴室とは反対側において間隙を有して反射板が設けられ、前記反射板と前記ヒータの間隙は可変であることを特徴とする請求項１から３のいずれかに記載の浴室換気乾燥機。
【請求項５】
循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口内に吸込口と吹出口が隣接して配置され、前記吹出口の浴室に面した位置に熱を輻射する直管状ヒータを複数本隣接して配置し、前記各々のヒータごとに反射板を設けることを特徴とする浴室換気乾燥機。
【請求項６】
循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口の中央部に形成された吸込口が前記循環ユニット本体の各辺の中央にあり、前記吸込口の周辺における各辺に沿って複数の直管状ヒータを配置したことを特徴とする浴室換気乾燥機。
【請求項７】
前記吸込口が前記開口の中央部に、吹出し口が前記吸込口を挟んで配置され、前記吸込口を挟んで複数の直管状ヒータを配置したことを特徴とする請求項６記載の浴室換気乾燥機。
【請求項８】
循環ファンモータおよび前記循環ファンモータにより回転する循環ファンを有する循環ユニットと、換気ファンモータおよび換気ファンを有する換気ユニットを備え、前記循環ユニットの浴室に面した位置に開口を有する浴室換気乾燥機であって、前記開口の中央部に形成された吸込口が循環ユニット本体の各辺の中央にあり、前記吸込口の対向する辺に沿って複数の直管状ヒータを配置するとともに、前記直管状ヒータを配置していない辺の位置に温風ヒータを配置したことを特徴とする浴室換気乾燥機。
【請求項９】
前記直管状ヒータは浴室とは反対側において間隙を有して前記直管状ヒータに独立して反射板が設けられ、前記反射板と前記直管状ヒータの間隙が可変であることを特徴とする請求項５から８のいずれかに記載の浴室換気乾燥機。
【請求項１０】
前記直管状ヒータは浴室とは反対側において間隙を有して前記直管状ヒータを中心に回動する反射板が設けられ、前記反射板は前記ヒータの軸を回動軸として回動可能であることを特徴とする請求項５から８のいずれかに記載の浴室換気乾燥機。
【請求項１１】
前記複数の直管状ヒータは電気的に直列接続され、直列接続された複数の直管状ヒータ回路に対して安全装置が設けられたことを特徴とする請求項５から８のいずれかに記載の浴室換気乾燥機。
【請求項１２】
前記換気ユニットの換気ファンが２連の軸流ファンであることを特徴とする請求項１から１１のいずれかに記載の浴室換気乾燥機。
【請求項１３】
前記循環ユニットは、前記換気ユニットに対して、前記直管状ヒータの長手方向と連結可能であるとともに、前記直管状ヒータの長手方向に垂直な面について連結可能であり、前記循環ユニットと換気ユニットの連結方向に応じて、前記循環ユニットの吹出口におけるルーバ向きを調整することを特徴とする請求項５から１２のいずれかに記載の浴室換気乾燥機。
【請求項１４】
前記換気ユニットが複数の吸気口を有し、前記複数の吸気口の各々は異なる複数の室に連結されていることを特徴とする請求項１から１３のいずれかに記載の浴室換気乾燥機。
【請求項１５】
前記循環ユニットと換気ユニットは別々のハウジングに収納され、前記換気ユニットを収納するハウジングが交換可能であることを特徴とする請求項１から１４のいずれかに記載の浴室換気乾燥機。
【請求項１６】
複数の吸気口と１つの排気口を有するボックスに換気ファンモータおよび換気ファンを収納した換気ボックスを設け、前記換気ボックスの１つの吸気口を前記換気ユニットの排気口に連結したことを特徴とする請求項１から１５のいずれかに記載の浴室換気乾燥機。
【請求項１７】
前記換気ユニットの換気ファンがターボファンで構成し、かつ前記循環ユニットの上に配置し、複数の方向に排気可能にしたことを特徴とする請求項１から１６のいずれかに記載の浴室換気乾燥機。
【請求項１８】
循環ファンモータおよび前記循環ファンモータにより回転する循環ファンを有する循環ユニットと、換気ファンモータおよび換気ファンを有する換気ユニットとを備え、少なくとも前記循環ユニットの浴室に面した位置に開口を有する浴室換気乾燥機であって、前記循環ファンと換気ファンを中央部に配置し、前記循環ファンと換気ファンを挟んで一対の前記循環ユニットの吹出口を配置するとともに、前記一対の吹出口の各々の上流風路にそれぞれ複数の直管状ヒータを配置したことを特徴とする浴室換気乾燥機。
【請求項１９】
前記循環ユニットの排気口に開閉自在なダンパを設けたことを特徴とする請求項１８に記載の浴室換気乾燥機。
【請求項２０】
前記循環ユニットの吹出開口に開閉自在なダンパを設けたことを特徴とする請求項１８に記載の浴室換気乾燥機。
【発明の詳細な説明】
【技術分野】
【０００１】
本発明は、浴室などの室内の空気を換気乾燥する浴室換気乾燥機に関する。
【背景技術】
【０００２】
従来、浴室の換気装置に乾燥あるいは暖房機能を持たせ、浴室の空気を換気乾燥する浴室換気乾燥機がいくつか提案されている。たとえば、浴室内の空気を建物外に排気する排気系ユニットと、浴室内の空気を循環させる循環系ユニットを備え、浴室内の入浴者をヒータの輻射熱で暖める構成の浴室乾燥暖房装置が知られている（例えば、特許文献１参照）。
【特許文献１】特開２００２−３３３１５３号公報（請求項１および請求項５、図２など）
【発明の開示】
【発明が解決しようとする課題】
【０００３】
入浴者を暖めるヒータを具備した従来の浴室乾燥暖房装置においては、ヒータは寒冷時に入浴者の体を暖めるために入浴者のいる方向に輻射熱が向かうように設置されている。ところで、この種のヒータは一般に指向性を持っているので、浴室乾燥暖房装置を設置する際にヒータの輻射熱が浴槽隣の洗い場方向に向くような設置位置を選択して設置する必要がある。
【０００４】
また、浴室用乾燥暖房装置は通常浴室の天井や壁面に設置されるが、このとき浴室乾燥暖房装置の循環系ユニットで浴室内に風を循環させる必要があるので、天井や壁面に浴室乾燥暖房装置を取り付ける穴を開け、浴室乾燥暖房装置の本体を天井に埋め込んだり内壁に取り付けている。この場合、上記のヒータの熱輻射方向を所定の方向に向けるように設置しようとすると、天井や壁面に開ける穴の位置に制約がありしかも浴室乾燥暖房装置の大きさや形状による制約も加わって、設置工事の施工がしづらいことがしばしばある。
【０００５】
本発明はこのような課題を解決するもので、ヒータの輻射方向を可変にして指向性をなくし、あるいは、ワイド化、任意の方向へのスポット化などを可能にした浴室換気乾燥機を提供することを目的とするものである。
【０００６】
本発明のほかの目的は、輻射ヒータを備えた浴室用乾燥暖房機の設置、施工時における設置方向の制約をなくした浴室換気乾燥機を提供することを目的とするものである。
【課題を解決するための手段】
【０００７】
本発明の浴室換気乾燥機は上記目的を達成するために、循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口の中央部に形成された円形吸込口を囲んで前記円形吸込口の外周より径が大きい内径を有する円形リング状のヒータを配したことを特徴とする。
【０００８】
また、本発明の浴室換気乾燥機は上記目的を達成するために、前記吸込口内に照明具が設けられたことを特徴とする。
【０００９】
また、本発明の浴室換気乾燥機は上記目的を達成するために、前記ヒータの上流側に温風ヒータを有することを特徴とする。
また、本発明の浴室換気乾燥機は上記目的を達成するために、前記ヒータは浴室とは反対側において間隙を有して反射板が設けられ、前記反射板と前記ヒータの間隙は可変であることを特徴とする。
【００１０】
また、本発明の浴室換気乾燥機は上記目的を達成するために、循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口内に吸込口と吹出口が隣接して配置され、前記吹出口の浴室に面した位置に熱を輻射する直管状ヒータを複数本隣接して配置し、前記各々のヒータごとに反射板を設けることを特徴とする。
【００１１】
また、本発明の浴室換気乾燥機は上記目的を達成するために、循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口の中央部に形成された吸込口が前記循環ユニット本体の各辺の中央にあり、前記吸込口の周辺における各辺に沿って複数の直管状ヒータを配置したことを特徴とする。
【００１２】
また、本発明の浴室換気乾燥機は上記目的を達成するために、前記吸込口が前記開口の中央部に、吹出し口が前記吸込口を挟んで配置され、前記吸込口を挟んで複数の直管状ヒータを配置したことを特徴とする。
【００１３】
また、本発明の浴室換気乾燥機は上記目的を達成するために、循環ファンモータおよび前記循環ファンモータにより回転する循環ファンを有する循環ユニットと、換気ファンモータおよび換気ファンを有する換気ユニットを備え、前記循環ユニットの浴室に面した位置に開口を有する浴室換気乾燥機であって、前記開口の中央部に形成された吸込口が循環ユニット本体の各辺の中央にあり、前記吸込口の対向する辺に沿って複数の直管状ヒータを配置するとともに、前記直管状ヒータを配置していない辺の位置に温風ヒータを配置したことを特徴とする。
【００１４】
また、本発明の浴室換気乾燥機は上記目的を達成するために、前記直管状ヒータは浴室とは反対側において間隙を有して前記直管状ヒータに独立して反射板が設けられ、前記反射板と前記直管状ヒータの間隙が可変であることを特徴とする。
【００１５】
また、本発明の浴室換気乾燥機は上記目的を達成するために、前記直管状ヒータは浴室とは反対側において間隙を有して前記直管状ヒータを中心に回動する反射板が設けられ、前記反射板は前記ヒータの軸を回動軸として回動可能であることを特徴とする。
【００１６】
また、本発明の浴室換気乾燥機は上記目的を達成するために、前記複数の直管状ヒータは電気的に直列接続され、直列接続された複数の直管状ヒータ回路に対して安全装置が設けられたことを特徴とする。
【００１７】
また、本発明の浴室換気乾燥機は上記目的を達成するために、前記換気ユニットの換気ファンが２連の軸流ファンであることを特徴とする。
【００１８】
また、本発明の浴室換気乾燥機は上記目的を達成するために、前記循環ユニットは、前記換気ユニットに対して、前記直管状ヒータの長手方向と連結可能であるとともに、前記直管状ヒータの長手方向に垂直な面について連結可能であり、前記循環ユニットと換気ユニットの連結方向に応じて、前記循環ユニットの吹出口におけるルーバ向きを調整することを特徴とする。
【００１９】
また、本発明の浴室換気乾燥機は上記目的を達成するために、前記換気ユニットが複数の吸気口を有し、前記複数の吸気口の各々は異なる複数の室に連結されていることを特徴とする。
【００２０】
また、本発明の浴室換気乾燥機は上記目的を達成するために、前記循環ユニットと換気ユニットは別々のハウジングに収納され、前記換気ユニットを収納するハウジングが交換可能であることを特徴とする。
【００２１】
また、本発明の浴室換気乾燥機は上記目的を達成するために、複数の吸気口と１つの排気口を有するボックスに換気ファンモータおよび換気ファンを収納した換気ボックスを設け、前記換気ボックスの１つの吸気口を前記換気ユニットの排気口に連結したことを特徴とする。
【００２２】
また、本発明の浴室換気乾燥機は上記目的を達成するために、前記換気ユニットの換気ファンをターボファンで構成し、かつ前記循環ユニットの上に配置し、複数の方向に排気可能にしたことを特徴とする。
【００２３】
また、本発明の浴室換気乾燥機は上記目的を達成するために、循環ファンモータおよび前記循環ファンモータにより回転する循環ファンを有する循環ユニットと、換気ファンモータおよび換気ファンを有する換気ユニットとを備え、少なくとも前記循環ユニットの浴室に面した位置に開口を有する浴室換気乾燥機であって、前記循環ファンと換気ファンを中央部に配置し、前記循環ファンと換気ファンを挟んで一対の前記循環ユニットの吹出口を配置するとともに、前記一対の吹出口の各々の上流風路にそれぞれ複数の直管状ヒータを配置したことを特徴とする。
【００２４】
また、本発明の浴室換気乾燥機は上記目的を達成するために、前記循環ユニットの排気口に開閉自在なダンパを設けたことを特徴とする。
【００２５】
また、本発明の浴室換気乾燥機は上記目的を達成するために、前記循環ユニットの吹出開口に開閉自在なダンパを設けたことを特徴とする。
【発明の効果】
【００２６】
本発明により、ヒータの輻射方向を可変にして指向性をなくして浴室内の広い範囲にヒータによる輻射熱を照射することができる。したがって、浴室換気乾燥機の設置位置の自由度が向上し、施工工事における制約がない浴室換気乾燥機を提供することができる。
【００２７】
また、入浴者が入浴時にヒータの輻射方向を好みに応じて自由に変えることができる。
【００２８】
また、輻射方向を変える際にヒータ自体の寿命や安全性を損ねないでおこなえる。
【発明を実施するための最良の形態】
【００２９】
本発明の請求項１記載の浴室換気乾燥機の発明は、循環ユニットと換気ユニットとを備え、循環ユニットの浴室に面した開口の中央部に円形吸込口が形成され、前記円形吸込口を囲んで前記円形吸込口の外周より径が大きい内径を有する円形リング状ヒータを配したことにより、循環ユニットは開口の中央部に円形吸込口から吸い込み外周から吹き出す構成とし、輻射ヒータを面積の広い外周部に設けているので、ヒータ面積を大きくすることができる。また、輻射熱も円形上に浴室内に広がるので指向性がなくなり、浴室換気乾燥機を設置する位置の自由度が増して施工位置の制約をなくすことができる。また、浴室の広い範囲で輻射暖房をすることができる。
【００３０】
また、本発明の請求項２記載の発明は、請求項１に記載の浴室換気乾燥機において、吸込口内に照明具が設けられたことにより、浴室インテリアのデザイン性を向上させることができる。また、吸込口内の照明具をスポットライト状に照明することにより、入浴時のムードを向上させることができる。
【００３１】
また、本発明の請求項３に記載の発明は、請求項１または２に記載の浴室換気乾燥機において、ヒータの上流側に温風ヒータを設けたことにより、浴室の暖房効果をいっそう向上させることができる。また、温風ヒータからの温風により、浴室内の乾燥や衣類乾燥、予備暖房機能を持たせることができる。
【００３２】
また、本発明の請求項４に記載の発明は、請求項１から３のいずれかに記載の浴室換気乾燥機において、前記ヒータは浴室とは反対側において間隙を有して反射板が設けられ、前記反射板と前記ヒータの間隙は可変であることにより、ヒータの輻射方向の焦点距離を変更することができるので、輻射熱をスポット状輻射からワイド輻射の間で自由に調整することができる。
【００３３】
また、本発明の請求項５に記載の浴室換気乾燥機の発明は、循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口内に吸込口と吹出口が隣接して配置され、前記吹出口の浴室に面した位置に熱を輻射する直管状ヒータを複数本隣接して配置し、前記各々のヒータごとに反射板を設けることにより、個々に輻射熱の角度が可変できる。あるいは輻射熱をスポット状輻射からワイド輻射の間で自由に調整することができる。これによって、輻射方向の指向性を小さくすることができ、浴室換気乾燥機を設置する位置の自由度が増して施工位置の制約をなくすことができる。また、浴室の広い範囲で輻射暖房をすることができる。
【００３４】
また、本発明の請求項６に記載の浴室換気乾燥機の発明は、循環ファンモータおよび前記循環ファンモータにより回転する循環ファンを有する循環ユニットと、換気ファンモータおよび換気ファンを有する換気ユニットとを備え、前記循環ユニットの浴室に面した位置に開口を有する浴室換気乾燥機であって、前記開口の中央部に形成された吸込口が前記循環ユニット本体の各辺の中央にあり、前記吸込口の周辺における各辺に沿って複数の直管状ヒータを配置したこといより、ヒータの輻射方向を多方向にすることができるので輻射方向が拡大する。したがって、浴室の広い範囲で輻射暖房をすることができる。さらに、輻射可変をおこなう場合にヒータ自体の位置は可動させずに、輻射方向を変えられるため、ヒータの寿命を縮めたり、安全性を損なわずにおこなえる。
【００３５】
また、本発明の請求項７に記載の発明は、請求項６に記載の浴室換気乾燥機において、前記吸込口が前記開口の中央部に、吹出し口が前記吸込口を挟んで配置され、前記吸込口を挟んで複数の直管状ヒータを配置したことにより、ヒータ間隔を大きくすることができるので、輻射範囲を広くすることができる。また、一方のヒータ管から他方のヒータ管への輻射を防止することができるので、ヒータ管の表面温度を下げることができる。
【００３６】
また、本発明の請求項８に記載の浴室換気乾燥機は、前記循環ユニットの浴室に面した位置に開口を有する浴室換気乾燥機であって、前記開口の中央部に形成された吸込口が循環ユニット本体の各辺の中央にあり、前記吸込口の対向する辺に沿って複数の直管状ヒータを配置するとともに、前記直管状ヒータを配置していない辺の位置に温風ヒータを配置したことにより、温風ヒータからの温風により、浴室内の乾燥と衣類乾燥、予備暖房機能を持たせ、かつ輻射暖房機能も備えることができる。
【００３７】
また、本発明の請求項９に記載の発明は、請求項５から８のいずれかに記載の浴室換気乾燥機において、前記直管状ヒータは浴室とは反対側において可変できる間隙を有して前記直管状ヒータに独立して反射板が設けられることにより、ヒータの輻射方向の焦点距離を変更することができるので、輻射熱をスポット輻射からワイド輻射の間で自由に調整することができる。
【００３８】
また、本発明の請求項１０に記載の発明は、請求項５から８のいずれかに記載の浴室換気乾燥機において、前記直管状ヒータは浴室とは反対側において間隙を有して前記直管状ヒータの軸を回動軸として中心に回動可能な反射板が設けられることにより、各直管状ヒータの熱輻射方向を入浴者の好みに応じて自由に変更することができる。
【００３９】
また、本発明の請求項１１に記載の発明は、請求項５から８のいずれかに記載の浴室換気乾燥機において、前記複数の直管状ヒータは電気的に直列接続され、直列接続された複数の直管状ヒータ回路に対して安全装置が設けられることにより、複数の直管状ヒータに対して安全装置を共通にすることができるので、コストダウンを図ることができる。
【００４０】
また、本発明の請求項１２に記載の発明は、請求項１から１１のいずれかに記載の浴室換気乾燥機において、前記換気ユニットの換気ファンが２連の軸流ファンであることにより、換気ユニットをコンパクトでありながら高静圧、低騒音にすることができる。
【００４１】
また、本発明の請求項１３に記載の発明は、請求項５から１２のいずれかに記載の浴室換気乾燥機において、前記循環ユニットは、前記換気ユニットに対して、前記直管状ヒータの長手方向と連結可能であるとともに、前記直管状ヒータの長手方向に垂直な面について連結可能であり、前記循環ユニットと換気ユニットの連結方向に応じて、前記循環ユニットの吹出口におけるルーバ向きを調整することにより、浴室あるいは浴槽の形状に応じて循環ユニットにおける直管状ヒータの配置方向を調整したり、天井裏の構造などにより循環ユニット１１または換気ユニット１２の方向を変えたりすることができる。また、それに応じてルーバの吹出し方向を自由に調整することができる。
【００４２】
また、本発明の請求項１４に記載の発明は、請求項１から１３のいずれかに記載の浴室換気乾燥機において、前記換気ユニットが複数の吸気口を有し、前記複数の吸気口の各々は異なる複数の室に連結されていることにより、１台の浴室換気乾燥機で複数の室の換気を行うことができる。
【００４３】
また、本発明の請求項１５に記載の発明は、請求項１から１４のいずれかに記載の浴室換気乾燥機において、前記循環ユニットと換気ユニットは別々のハウジングに収納され、前記換気ユニットを収納するハウジングを交換可能としたことにより、もし、換気風量を増やしたい場合は換気風量が多くなるようにファンを大きくした換気ユニットを用意しておけば換気ユニットのみを交換することにより浴室換気乾燥機の施工工事を簡略化し、かつ、コストダウンを図ることができる。
【００４４】
また、本発明の請求項１６に記載の発明は、請求項１から１５のいずれかに記載の浴室換気乾燥機において、複数の吸気口と１つの排気口を有するボックスに換気ファンモータおよび換気ファンを収納した換気ボックスを設け、前記換気ボックスの１つの吸気口を前記換気ユニットの排気口に連結させたことにより、すでに浴室のみの換気を行う１室換気用の浴室換気乾燥機が設置済みであっても、換気ボックスを追加することにより簡単に多室換気用に変更することができる。
【００４５】
また、本発明の請求項１７に記載の発明は、請求項１から１６のいずれかに記載の浴室換気乾燥機において、前記換気ユニットの換気ファンをターボファンで構成し、かつ前記循環ユニットの上に配置し、複数の方向に排気可能にしたことにより、排気吹出方向の自由度を広げることができるので、天井裏などの構造の如何にかかわらず、浴室換気乾燥機の設置位置を自由に設定することができる。
【００４６】
また、本発明の請求項１８に記載の浴室換気乾燥機は、少なくとも前記循環ユニットの浴室に面した位置に開口を有する浴室換気乾燥機であって、前記循環ファンと換気ファンを中央部に配置し、前記循環ファンと換気ファンを挟んで一対の前記循環ユニットの吹出口を配置するとともに、前記一対の吹出口の各々の上流風路にそれぞれ複数の直管状ヒータを配置したことにより、輻射ヒータのパワーが大きく、しかも、ヒータの表面温度が上昇しにくい構成とすることができる。
【００４７】
また、本発明の請求項１９に記載の発明は、請求項１８に記載の浴室換気乾燥機において、前記循環ユニットの排気口に開閉自在なダンパを設けたことにより、ダンパの開閉度を調整することにより換気量を調整することができる。したがって、浴室の暖房時などにおいて、排気量を０にしたり、小さくして熱を外部に逃がさないようにし、暖房効率を向上させることができる。
【００４８】
また、本発明の請求項２０に記載の発明は、請求項１８に記載の浴室換気乾燥機において、前記循環ユニットの吹出開口に開閉自在なダンパを設けたことにより、ダンパの開閉度を調整することにより循環風の吹出量を調整することができる。したがって、換気運転時に循環風による冷風感をなくすことができる。
【００４９】
以下、本発明の実施例について図面を用いて説明する。なお、以下の実施例１〜１０の説明では、浴室換気乾燥機を浴室の天井面に設置する場合を例に説明する。
【実施例】
【００５０】
（実施例１）  
図１は、本発明の実施例１における浴室換気乾燥機の構成を示す一部断面側面図である。  図２は、本発明の実施例１における浴室換気乾燥機の構成を示す斜視図である。図１、および図２に示すように、浴室換気乾燥機は循環ユニット１１と換気ユニット１２を備えており、浴室の天井面に開けられた開口内にその大部分を収納した状態で設置され、換気ユニット１２の吐出口から吐き出された浴室などの空気は前記吐出口に接続されたダクトを介して屋外に排出されるものである。換気ユニット１２内には換気ファンモータ１３が配置され、換気ファンモータ１３に連結して換気ファン１４が設けられる。循環ユニット１１内には循環ファンモータ１５が配置され、循環ファンモータ１５に連結して循環ファン１６が設けられる。循環ファン１６のファンケース１７は円筒形をしており、循環ファンモータ１５により循環ユニット１１と換気ユニット１２の下部に取り付けられるルーバの吸込口（図１、および図２では図示を省略）から吸い込まれた浴室の空気は、ファンケース１７の内側に吸い込まれて、矢印Ａのようにファンケース１７の上部からファンケース１７の外側に回りこみ、温風ヒータ１８で加温されてルーバの吹出口（図１、および図２では図示を省略）から浴室内に循環する。この温風により浴室内の暖房および乾燥が行われる。
【００５１】
温風ヒータ１８の下流には、円形リング状の輻射ヒータ１９および円形リング状の輻射ヒータ１９から間隙を有して円形リング状の輻射ヒータ１９の表面を囲むように反射板２０が設けられている。反射板２０は、浴室から見て円形リング状の輻射ヒータ１９の上方に配置されており、輻射ヒータ１９との間隔が変えられるように配置されている。円形リング状の輻射ヒータ１９は、寒冷時など温風ヒータ１８による暖房では不十分な場合、あるいは、入浴者が洗い場にいる場合に体が冷えないように輻射熱により入浴者の体を暖めるために設けられる。
【００５２】
ファンケース１７内部の中央の吸込口近傍には、照明具２１が設けられている。この照明具２１は、浴室換気乾燥機の機能には直接関係はないが、浴室内を吸込口の中央から照明するので、浴室インテリアのデザイン性を向上させることができる。また、吸込口内の照明具をスポットライト状に照明することにより、入浴時のムードを向上させることができる。
【００５３】
循環ユニット１１の中央部からの吸込空気は、ファンケース１７内に吸込まれ、循環ファン１６により循環ファンの円周方向すべてに吹出され、その後温風ヒータ１８、および円形リング状の輻射ヒータ１９にて加温されファンケース１７の外周側に形成される吹出口より浴室内に吹出される。
【００５４】
また、円形リング状の輻射ヒータ１９の上部には４方向に温風ヒータ１８が配置されている。
【００５５】
また、浴室からの排気風は換気ユニット１２の下部に取り付けられているルーバの排気風吸込口（図１および図２では図示を省略）より換気ファン１４により吸込まれ、排気アダプタ２２より浴室乾燥機に連通するダクトを通して、屋外に排気される。
【００５６】
本実施例においては、円形状の輻射ヒータ１９がファンケース１７の外形より大きい内径を有する円形のリング状で構成されているので、ヒータの表面積が大きく、輻射熱も円形上に浴室内に広がるので指向性がない。したがって、浴室内の広い範囲を輻射暖房することができる。また、円形リング状の輻射ヒータ１９の輻射方向に指向性がないので、浴室換気乾燥機を設置する位置に制約がなく、施工の手間が大幅に軽減される。
【００５７】
図３および図４に円形リング状の輻射ヒータ１９と反射板２０の構成を示す斜視図を示す。
【００５８】
円形リング状の輻射ヒータ１９の輻射は、円形リング状の輻射ヒータ１９と反射板２０の間隔を調整することにより制御できる。たとえば、図３のように円形リング状の輻射ヒータ１９と反射板２０の間隔を小さくすると、反射板２０から反射する輻射熱の焦点位置がずれて輻射熱は拡散して放射される。この結果、浴室内での輻射は広い範囲に広がりワイド輻射が行われる。一方、図４のように円形リング状の輻射ヒータ１９と反射板２０の間隔を大きくすると、反射板２０からの反射輻射熱が反射板２０により収束される。この結果、浴室内での輻射は狭い範囲に集中したスポット輻射が行われる。
【００５９】
（実施例２）
図５は、本発明の実施例２における浴室換気乾燥機の循環ユニット１１を一部断面にした側面図である。本実施例は、循環ユニット１１内には循環ファン１６に沿ってファンケース５１が形成され、循環ファン１６の下流側に直管状の輻射ヒータ５２、５３および反射板５４、５５が配置される。吸込開口５６と吹出開口５７は舌部５８を挟んで隣接した構成である。浴室に面した吸込開口５６から循環ファン１６によって吸込まれた浴室内の空気は矢印Ｃのようにファンケース５１に沿って、直管状の輻射ヒータ５２、５３および反射板５４、５５にまで流れ直管状の輻射ヒータ５２、５３で加温され、吹出開口５７を通って浴室内へと循環される。直管状輻射ヒータ５２、５３は、１本でも良いが、入浴者の体を暖めるためには複数本（図５には２本の場合を示す）配置することが好ましい。複数本の直管状輻射ヒータ５２、５３は隣接して配置され、各々に反射板５４、５５が設けられる。
【００６０】
図６〜図１２は、隣接して配置された２本の直管状の輻射ヒータ５２、５３と可動可能な反射板５４、５５が配置された構成図を示す。
【００６１】
図６は反射板５４、５５を可動板５９で連結した例で、直管状の輻射ヒータ５２、５３で放射された輻射熱の輻射方向は図の下方向である。可動板５９を図７のように図の右方向に移動させると、反射板５４、５５は時計方向に回転し、輻射熱の輻射方向は図の左下方向に曲げられる。可動板５９を図８のように図の左方向に移動させると、反射板５４、５５は反時計方向に回転し、輻射熱の輻射方向は図の右下方向に曲げられる。このように、可動板５９を移動させることにより、直管状の輻射ヒータ５２、５３から放射された輻射熱の輻射方向を自由に変えることができる。
【００６２】
図９および図１０は、２本の直管状の輻射ヒータ５２、５３のうち、一方の直管状の輻射ヒータ５２の反射板５４は固定し、他方の直管状の輻射ヒータ５３の反射板５５を回動自在とした例である。図９は反射板５５を時計方向に回動させて、反射板５４からの輻射は図の下方向に、反射板５５からの輻射は図の左下方向に放射される。図１０は反射板５５を反時計方向に回動させて、反射板５４からの輻射は図の下方向に、反射板５５からの輻射は図の右下方向に放射させる。これらの例では、２本の直管状の輻射ヒータ５２、５３を使用して広い範囲を暖房することができる。
【００６３】
図１１および図１２は、２本の直管状の輻射ヒータ５２、５３の両方の反射板５４、５５を回動自在とした例である。図１１は反射板５４を反時計方向に、反射板５５を時計方向に回動させて、反射板５４からの輻射は図の右下方向に、反射板５５からの輻射は図の左下方向に放射させて、両者の放射方向を集中させる例である。図１２は反射板５４を時計方向に、反射板５５を反時計方向に回動させて、反射板５４からの輻射は図の左下方向に、反射板５５からの輻射は図の右下方向に放射させて、両者の放射方向を拡散させる例である。これらの例では、２本の直管状の輻射ヒータ５２、５３を使用してスポット暖房からワイド暖房まで自由に制御することができる。
【００６４】
また、いずれの場合においても、ヒータ自体は可動させていないため、ヒータ自体の寿命を縮めたり、安全性を損ねたりはせずに、輻射方向を可変させることができる。
【００６５】
図１３および図１４は、２本の直管状の輻射ヒータ５２、５３に対して間隔が調整可能な反射板５４、５５を配置した構成を示す。直管状の輻射ヒータ５２、５３と反射板５４、５５の間隔を変えることにより、図３、図４の場合と同様に輻射範囲と輻射エネルギを調節することができる。
【００６６】
図１３は、反射板５４、５５を可動板５９で連結した場合で、可動板５９を図の上下方向に移動させることにより直管状の輻射ヒータ５２、５３と反射板５４、５５の間隔を連動して移動させる例である。
【００６７】
図１４は直管状の輻射ヒータ５２、５３と反射板５４、５５の間隔をそれぞれ独立に変更させる場合で、反射板５４、５５をそれぞれ独立に上下方向に移動させる。図１４には、反射板５５のみを移動させた例を図示しているが、反射板５４も同様に移動させることができる。
【００６８】
なお、本実施例のように直管状の輻射ヒータ５２、５３を複数本使用する場合、各直管状の輻射ヒータ５２、５３毎にヒューズおよびサーモスタットからなる安全装置を設けても良いが、数が多いとコストアップの原因になる。そこで、複数の直管状の輻射ヒータを直列接続し、その直列接続に１つの安全装置を接続する。これにより、複数の直管状の輻射ヒータに対して安全装置を共通にすることができるので、コストダウンを図ることができる。
【００６９】
（実施例３）
図１５は、本発明の実施例３における循環ユニット１１、換気ユニット１２を浴室側から見た平面図である。本実施例は、円形リング状の輻射ヒータ１９の代わりに、複数本の直管状の輻射ヒータ６１、６２、６３、６４を使用したものである。本実施例においては、開口の中央部に吸込口６５が形成され、吸込口６５が循環ユニット１１の各辺の中央にあり、吸込口６５から循環ファン１６にて吸込んだ空気はそれぞれの複数の直管状の輻射ヒータ６１、６２、６３、６４、および温風ヒータにて加温されそれぞれの吹出口から温風として吹出される。さらにそれぞれの複数の直管状の輻射ヒータ６１、６２、６３、６４から輻射熱が放出される。その他の構成は実施例１で説明した図１、および図２と同一である。
【００７０】
本実施例によれば、直管状の輻射ヒータ６１、６２、６３、６４が異なる方向に配置されて輻射方向を多方向にすることができるので輻射方向が拡大する。したがって、浴室の広い範囲で輻射暖房をすることができる。
【００７１】
なお、本実施例においても、実施例２と同様に、図６〜図１４で説明したように、直管状の輻射ヒータ６１、６２、６３、６４にそれぞれ反射板を設け、各反射板を回動自在にしたり、直管状の輻射ヒータ６１、６２、６３、６４と反射板の間隔を調整可能にすることが好ましい。
【００７２】
また、実施例２と同様に、複数の直管状の輻射ヒータ６１、６２、６３、６４を直列接続し、その直列接続に１つの安全装置を接続することにより安全装置のコストダウンを図ることができる。
【００７３】
また、浴室の設置箇所によれば、たとえば輻射による暖房は、直管状の輻射ヒータ６２、６４のみの方向のみ必要であり、直管状の輻射ヒータ６１、６３の方向は輻射による暖房がいらないといったケースも考えられる。そういったケースにおいては直管状の輻射ヒータ６２、６４の上流の温風ヒータを省略し、さらに直管状の輻射ヒータ６１、６３を省略し、温風ヒータのみにすることにより、直管状の輻射ヒータ６２、６４の方向のみ輻射による暖房、直管状の輻射ヒータ６１、６３の方向は温風ヒータのみの暖房にすることが可能であり、設置箇所のケースにより容易に輻射暖房する方向、温風暖房する方向を変更することが可能である。同様にたとえば、直管状の輻射ヒータ６１の方向のみ輻射暖房したい場合は、直管状の輻射ヒータ６１の上流の温風ヒータを省略し、他の直管状の輻射ヒータ６２、６３、６４を省略し温風ヒータのみにすることにより同様に容易にできる。
【００７４】
（実施例４）
図１６は、本発明の実施例４における循環ユニット１１、換気ユニット１２を浴室側から見た平面図である。本実施例は、開口の中央部に吸込口７１が形成され、吹出口７２、７３が前記吸込口７１を挟んで配置され、吹出口７２、７３の各々の浴室に面した位置には熱を輻射する直管状の輻射ヒータ７４、７５が吸込口７１を挟むように配置される。この実施例においても吹出口７２、７３に配される直管状の輻射ヒータ７４、７５はそれぞれ１本でも良いが、入浴者の体を暖めるためにはそれぞれ複数本配置することが好ましい。  本実施例によれば、直管状の輻射ヒータ７４、７５の間隔が広いので、輻射範囲を拡大させることができる。また、直管状の輻射ヒータ７４、７５同士の相互間の輻射による加熱を防止することができるので、ヒータ管の表面温度を下げることができる。
【００７５】
なお、本実施例においても、実施例２と同様に、図６〜図１４で説明したように、直管状の輻射ヒータ７４、７５にそれぞれ反射板を設け、各反射板を回動自在にしたり、直管状の輻射ヒータ７４、７５と反射板の間隔を調整可能にすることが好ましい。
【００７６】
また、実施例２と同様に、複数の直管状の輻射ヒータ７４、７５を直列接続し、その直列接続に１つの安全装置を接続することにより安全装置のコストダウンを図ることができる。
【００７７】
（実施例５）
１７は、本発明の実施例５における浴室換気乾燥機の換気ユニット１２の内部構造図である。図１においては、換気ユニット１２は換気ファンモータ１９で１つの換気ファン１８を回転させているが、本実施例においては、換気ファンとして２連の軸流ファン８１を使用する。換気動作は図１と同一であるので説明は省略する。
【００７８】
換気ファンとして２連の軸流ファン８１を使用すると、換気ユニット１２をコンパクトでありながら高静圧、低騒音にすることができる。
【００７９】
（実施例６）
図１８および図１９は、本発明の実施例６における循環ユニット１１と換気ユニット１２を浴室側から見た平面図である。本実施例は、図５における循環ユニット１１と換気ユニット１２の連結に関するものである。換気動作は図１、および図２と同一であるので説明は省略する。循環ユニット１１が図５のように、複数の直管状の輻射ヒータ５２、５３を並べて配置した構成においては、その設置位置により直管状の輻射ヒータ５２、５３からの輻射方向が直管状の輻射ヒータ５２、５３の長手方向をどの向きにするかにより定まってしまう。ところが、浴室あるいは浴槽の形状と循環ユニット１１の配置位置によっては直管状の輻射ヒータ５２、５３からの輻射方向が入浴者にとって好ましくない場合がある。そこで、本実施例においては、循環ユニット１１と換気ユニット１２の連結を、循環ユニット１１の直管状の輻射ヒータ５２、５３の長手方向に対して異なる２つの方向に連結可能とする。すなわち、循環ユニット１１と換気ユニット１２を異なる向きに連結することを可能とする。これにより、浴室あるいは浴槽の形状に応じて循環ユニットにおける直管状の輻射ヒータの輻射方向を容易に調整することができる。
【００８０】
たとえば、図１８は換気ユニット１２と循環ユニット１１のＤ面を連結した構成である。この場合は直管状の輻射ヒータ５２、５３から放出される輻射は図の上下方向への輻射となり、上下方向に入浴者が存在する場合に適した構成となる。また、換気ユニット１２と循環ユニット１１のＧ面を連結した場合においても、同様の効果のある構成となる。
【００８１】
図１９は換気ユニット１２と循環ユニット１１のＥ面を連結した構成である。この場合は直管状の輻射ヒータ５２、５３から放出される輻射は図の左右方向への輻射となり、左右方向に入浴者が存在する場合に適した構成となる。換気ユニット１２と循環ユニット１１のＦ面を連結した場合においても、同様の効果のある構成となる。
【００８２】
また、図２０および図２１は、本発明の実施例６における循環ユニット１１と換気ユニット１２に被せるルーバの斜視図である。ルーバ８２とルーバ吸込口８３は分離する構成であり、ルーバ８２は循環ユニット１１の開口に合わせて大きく穴が開口されており、その箇所にルーバ吸込口８３をはめ込む構成である。図２０はルーバー８２に形成される辺Ｈに沿ってルーバ吸込口８３を取り付ける構成を示したものであり、図１８の場合の循環ユニット１１と換気ユニット１２の連結パターンの場合に適したルーバ８２、ルーバ吸込口８３の構成である。同様に図２１は、ルーバ８２に形成される図２０の辺Ｉ方向の辺に沿ってルーバ吸込口８３を取り付ける構成を示したものであり、図１９の場合の循環ユニット１１と換気ユニット１２の連結パターンの場合に適したルーバ８２、ルーバ吸込口８３の構成である。このようにひとつのルーバ８２とひとつのルーバ吸込口８３の組み合わせによる構成にすることにより、形状の違ったルーバを各々準備するよりコスト的に安価になる。
【００８３】
（実施例７）
図２２および図２３は、本発明の実施例７における循環ユニット１１と換気ユニット１２の一部断面側面図である。図２２は循環ユニット１１と換気ユニット１２を同じ高さのもので連結した構成である。設置場所によって、換気ユニット１２から排出する排気風を屋外に排出するためのダクトの長さが長くなったり、曲がりが多くなったりする場合がある。この場合は換気ユニット１２の排出する能力のみのアップが必要であり、図２３のように、天井高さに余裕がある場合は、ファンの大きさを大きくした換気ファン８５を能力がアップした換気ファンモータ８６と連結搭載した換気ユニット１２より少し高さを高くした換気ユニット８４に取り換えることにより容易な施工にて設置箇所にあわせた換気ユニットの調整ができる。また、天井高さに余裕がない場合は図示しないが、換気ユニット幅を大きくしたものに取り換えることにより排出する能力をアップさせることも容易におこなえる。
【００８４】
（実施例８）
図２４は、本発明の実施例８における浴室換気乾燥機における換気ボックスの斜視図である。本実施例は、浴室以外に洗面所やトイレなどの他の室の換気も可能にする場合の実施例である。本実施例において、換気ユニット１１および換気ユニット１２は図１で説明したものと同一である。本実施例においては、換気ユニット１２の排気アダプタ２２を取り外し、複数の吸気口９１、９２、９３および１つの排気口９４を有するハウジングボックス９５に換気モータで駆動される換気ファンを収納した換気ボックス９０を排気アダプタを取り外した吹出口、吸気口９３により連結する。
【００８５】
循環ユニット１１の動作は図１と同一であるので説明を省略する。浴室の換気は換気ユニット１２に供給された空気を排気アダプタ２２を取り外した吹出口、吸気口９３から換気ボックス９０に導入し、換気ボックス９０の排気口９４から排気して行う。洗面所やトイレなどの他の室の換気は、各室からの空気をダクトなどにより吸気口９１、９２から換気ボックス９０に導入し、換気ボックス９０の排気口９４から排気して行う。
【００８６】
この構成によれば、すでに浴室のみの換気を行う１室換気用の浴室換気乾燥機が設置済みであっても、換気ボックス９０を追加することにより簡単に多室換気用に変更することができる。
【００８７】
なお、図１における換気ユニット１２にあらかじめ複数の吸気口を設け、それらの複数の吸気口の各々を浴室以外の室に連結するようにすれば、換気ボックス９０を省略することができる。この場合、使用しない吸気口がある場合は、板などでふさげばよい。
【００８８】
また、図１の構成において、循環ユニット１１と換気ユニット１２を別々のハウジングに収納し、換気ユニット１２を循環ユニット１１に対して着脱自在にし、換気ユニット１２として１室用換気ユニット、多室用換気ユニットなどの部品として用意し、それらを循環ユニット１１に対して交換可能とすることもできる。これによれば、換気したい室の数に応じて換気ユニットのみを交換することにより浴室換気乾燥機の施工工事を簡略化し、かつ、コストダウンを図ることができる。
【００８９】
（実施例９）
図２５は、本発明の実施例９における浴室換気乾燥機の内部構造斜視図である。本実施例は、換気ユニット１２の換気ファンをターボファン９７として、換気ユニット１２からの排気を４方向などの多方向に行うことを可能にしたものである。図２５では、１つのハウジングの内部を循環ユニット１１および換気ユニット１２の２つの領域に仕切り、換気ユニット１２を循環ユニット１１の上にかぶさるように配置しているが、図１のように循環ユニット１１および換気ユニット１２を横に並べたり、換気ユニット１２を循環ユニット１１の上に重ねるようにしても良い。
【００９０】
ターボファン９７を換気ファンとして使用することにより、換気ユニット１２からの排気を４方向などの多方向に行うことができる。したがって、排気吹出方向の自由度を広げることができるので、天井裏などの構造の如何にかかわらず、浴室換気乾燥機の設置位置を自由に設定することができる。
【００９１】
また、図２５のように換気ユニット１２を循環ユニット１１の上に重ねるように配置することにより、コンパクトな浴室換気乾燥機でありながら排気吹出方向の自由度を広げることができるので、天井裏などの構造の如何にかかわらず、浴室換気乾燥機の設置位置を自由に設定することができる。
【００９２】
（実施例１０）
図２６は、本発明の実施例１０における浴室換気乾燥機の内部構造斜視図である。本実施例は、実施例４で説明した図１６の構成における直管状の輻射ヒータ７４、７５で挟まれた開口空間に、ファン９８、９９を並べて配置し、浴室換気乾燥機を大能力かつコンパクトにした実施例である。
【００９３】
浴室に面した開口の中央部にファン９８、９９を並べて配置し、それらを挟むように吹出口１００、１０１が配置され、その上流風路に直管状の輻射ヒータ１０２、１０３が配置される。直管状の輻射ヒータ１０２、１０３は、それぞれ１本でも良いが、本実施例においても複数本（図２６にはそれぞれ２本を図示する）配置することが好ましい。直管状の輻射ヒータ１０２、１０３には図６〜図１４と同様に反射板が設けられる。これらの構成をハウジング１０４内に収納し、排気口に排気アダプタ２２を接続する。この場合、ハウジング１０４の形状を正方形にすると、直管状の輻射ヒータ１０２、１０３の方向を縦横２方向のどちらの方向にも向けて設置することができる。
【００９４】
ファン９９の排気アダプタ２２内または排気アダプタ２２との接続部には、排気開口の大きさを調節するダンパ１０５が設けられる。ダンパ１０５はその開閉位置をダンパモータ１０６によって制御することにより排気アダプタ２２から排気される風量を調節することができる。したがって、換気運転の場合はダンパ１０５を全開にして十分な排気を行い、逆に浴室を暖房する時には、排気開口を０にしたり、排気開口を小さくして浴室の熱を外部に逃がさないようにし、暖房効率を向上させる。
【００９５】
ファン９８を運転して、直管状の輻射ヒータ１０３の輻射により暖房し、さらにファン９９を運転して、直管状の輻射ヒータ１０２の輻射により暖房する。よって大能力の暖房をおこないたい場合は前記の両方を運転し暖房をおこなう。小能力でいい場合はどちらか片方の運転をおこなえばいいので、１台にて小能力の暖房から大能力の暖房まででき、快適性に優れた暖房がおこなえる。
【００９６】
また、排気アダプタ２２の接続部は図ではファン９９の下流部に配置しているが、ファン９８の下流に配置することも可能であり、排気の吹出し口方向を変えることができる。その際はファン９９の下流部の排気アダプタ２２の接続部は板などでふさげばよい。
【００９７】
図２７および図２８は本発明の実施例１０における浴室換気乾燥機のダンパ形状を変更した内部構造斜視図である。ファン９９の下流部の直管状の輻射ヒータ１０２の手前の吹出開口部に、循環風路の開口の大きさを調節する開閉自在なダンパ１０７が設けられる。ダンパ１０７はその開閉位置をダンパモータ１０８によって制御することにより吹出口１００から吹き出される循環風量を調節することができる。したがって、図２６の場合は換気運転をしようとしてもどうしても循環の吹出風も発生してしまう構成であったので入浴中の冷風感があるが、図２７ではダンパ１０７により循環の吹出風をなくすことができるため換気運転のみをおこなう場合に浴室内の循環風による冷風感をなくすことができる。
【００９８】
また、図２８のようにダンパ１０７の位置を変えることにより暖房のみも可能であり、また、ダンパ１０７の位置を循環風も排気風も吹出す位置にすれば乾燥運転も可能である。
【００９９】
また、ダンパ１０７は図２７、図２８ではファン９９の下流側に配置したが、ファン９８の下流側に配置することもでき、排気の吹出し口方向を変えることができる。その際はファン９９の下流部の排気アダプタ２２の接続部は板などでふさげばよい。
【０１００】
図２６〜図２８の排気アダプタ２２の代わり実施例８で述べた換気ボックス９０を配置すれば、本発明の実施例１０の浴室換気乾燥機においても容易に浴室以外の洗面所やトイレなどの他の室の換気も可能となる。
【産業上の利用可能性】
【０１０１】
本発明にかかる浴室換気乾燥機は、浴室の換気乾燥、浴室内に干された洗濯物などの乾燥、浴室の暖房などを行う浴室換気乾燥機などに適用して有用である。特に、寒冷時の入浴時において、入浴者の体が冷えないように暖める浴室換気乾燥機として有用である。
【図面の簡単な説明】
【０１０２】
【図１】本発明の実施例１における浴室換気乾燥機の構成を示す一部断面側面図
【図２】同浴室換気乾燥機の構成を示す斜視図
【図３】同浴室換気乾燥機の輻射ヒータと反射板の動作を説明する斜視図
【図４】同浴室換気乾燥機の輻射ヒータと反射板の動作を説明する斜視図
【図５】本発明の実施例２における浴室換気乾燥機の循環ユニットを一部断面にした側面図
【図６】同浴室換気乾燥機の隣接して配置された２本の直管状の輻射ヒータと反射板の動作を説明する側面図
【図７】同浴室換気乾燥機の隣接して配置された２本の直管状の輻射ヒータと反射板の動作を説明する側面図
【図８】同浴室換気乾燥機の隣接して配置された２本の直管状の輻射ヒータと反射板の動作を説明する側面図
【図９】同浴室換気乾燥機の隣接して配置された２本の直管状の輻射ヒータと反射板の動作を説明する側面図
【図１０】同浴室換気乾燥機の隣接して配置された２本の直管状の輻射ヒータと反射板の動作を説明する側面図
【図１１】同浴室換気乾燥機の隣接して配置された２本の直管状の輻射ヒータと反射板の動作を説明する側面図
【図１２】同浴室換気乾燥機の隣接して配置された２本の直管状の輻射ヒータと反射板の動作を説明する側面図
【図１３】同浴室換気乾燥機の２本の直管状の輻射ヒータと反射板の他の動作を説明する側面図
【図１４】同浴室換気乾燥機の２本の直管状の輻射ヒータと反射板の他の動作を説明する側面図
【図１５】本発明の実施例３における浴室換気乾燥機の循環ユニットおよび換気ユニットを浴室側から見た平面図
【図１６】本発明の実施例４における浴室換気乾燥機の循環ユニットおよび換気ユニットを浴室側から見た平面図
【図１７】本発明の実施例５における浴室換気乾燥機の換気ユニットの内部構造を示す斜視図
【図１８】本発明の実施例６における浴室換気乾燥機の循環ユニットと換気ユニットを浴室側から見た平面図
【図１９】本発明の実施例６における浴室換気乾燥機の循環ユニットと換気ユニットを浴室側から見た平面図
【図２０】同浴室換気乾燥機の循環ユニットと換気ユニットに被せるルーバの斜視図
【図２１】同浴室換気乾燥機の循環ユニットと換気ユニットに被せるルーバの斜視図
【図２２】本発明の実施例７における浴室換気乾燥機の循環ユニットと換気ユニットの一部断面側面図
【図２３】本発明の実施例７における浴室換気乾燥機の循環ユニットと換気ユニットの一部断面側面図
【図２４】本発明の実施例８における浴室換気乾燥機のにおける換気ボックスの斜視図
【図２５】本発明の実施例９における浴室換気乾燥機の内部構造斜視図
【図２６】本発明の実施例１０における浴室換気乾燥機の内部構造斜視図
【図２７】同浴室換気乾燥機のダンパ形状を変更した内部構造斜視図
【図２８】同浴室換気乾燥機のダンパ形状を変更した内部構造斜視図
【符号の説明】
【０１０３】
１１  循環ユニット
１２、８４  換気ユニット
１３、８６  換気ファンモータ
１４、８５  換気ファン
１５  循環ファンモータ
１６  循環ファン
１７、５１  ファンケース
１８  温風ヒータ
１９  円形リング状の輻射ヒータ
２０  反射板
２１  照明具
２２  排気アダプタ
５２、５３、６１、６２、６３、６４、７４、７５、１０２、１０３  直管状の輻射ヒータ
５４、５５  反射板
５６  吸込開口
５７  吹出開口
５８  舌部
５９  可動板
６５、７１  吸込口
７２、７３、１００、１０１  吹出口
８１  軸流ファン
８２  ルーバ
８３  ルーバ吸込口
９０  換気ボックス
９１、９２、９３  吸気口
９４  排気口
９５  ハウジングボックス
９７  ターボファン
９８、９９  ファン
１０４  ハウジング
１０５、１０７  ダンパ
１０６、１０８  ダンパモータ
【図１】
2005201588.tif 000003
【図２】
2005201588.tif 000004
【図３】
2005201588.tif 000005
【図４】
2005201588.tif 000006
【図５】
2005201588.tif 000007
【図６】
2005201588.tif 000008
【図７】
2005201588.tif 000009
【図８】
2005201588.tif 000010
【図９】
2005201588.tif 000011
【図１０】
2005201588.tif 000012
【図１１】
2005201588.tif 000013
【図１２】
2005201588.tif 000014
【図１３】
2005201588.tif 000015
【図１４】
2005201588.tif 000016
【図１５】
2005201588.tif 000017
【図１６】
2005201588.tif 000018
【図１７】
2005201588.tif 000019
【図１８】
2005201588.tif 000020
【図１９】
2005201588.tif 000021
【図２０】
2005201588.tif 000022
【図２１】
2005201588.tif 000023
【図２２】
2005201588.tif 000024
【図２３】
2005201588.tif 000025
【図２４】
2005201588.tif 000026
【図２５】
2005201588.tif 000027
【図２６】
2005201588.tif 000028
【図２７】
2005201588.tif 000029
【図２８】
2005201588.tif 000030